(57)【要約】【課題】既存の機器を用いて簡易に地中壁を造成することが出来る地中壁造成方法の提供。【解決手段】オーガー（１０）の翼（１：スクリュー）の直径方向両端部近傍に設けられ且つ同一方向を向いている少なくとも２本のノズル（２Ａ、２Ｂ）を備えたオーガー（１０）を地盤に侵入させる工程と、当該オーガー（１０）を時計方向と反時計方向に（所定の角度で）揺動しつつ、翼（１）の直径方向両端部近傍に設けたノズル（２Ａ、２Ｂ）から固化材（Ｃ）を（固化材噴流として）噴射して、地盤を切削しつつ原位置土と固化材（Ｃ）を混合しつつ、オーガー（１０）を引き上げる工程を有している。【選択図】図１
2016125197.tif 000002
【特許請求の範囲】
【請求項１】
翼の直径方向両端部近傍に設けられ且つ同一方向を向いている少なくとも２本のノズルを備えたオーガーを地盤に侵入させる工程と、
当該オーガーを時計方向と反時計方向に揺動しつつ、翼の直径方向両端部近傍に設けたノズルから固化材を噴射して、地盤を切削しつつ原位置土と固化材を混合しつつ、オーガーを引き上げる工程、
を有することを特徴とする地中壁造成方法。
【請求項２】
前記ノズルは湾曲したパイプによりオーガーの中心軸と連通しており、且つ、オーガーの中心軸内部に設けられた固化材供給流路と連通している請求項１の地中壁造成方法。
【請求項３】
同一方向を向いている少なくとも２本のノズルから噴射された固化材噴流は交差しない請求項１、２の何れかの地中壁造成方法。
【発明の詳細な説明】
【技術分野】
【０００１】
本発明は、地中に連続して延在する壁状体（地中壁）の造成技術に関する。
【背景技術】
【０００２】
地中に連続して延在する壁状体（地中壁）は、建造物の基礎造成、液状化防止、止水等のために、造成される。ここで地中壁を造成するに際して、固化材を（固化材ジェット或いは固化材の噴流として）噴射して地盤を切削しつつ、原位置土と固化材を混合して造成することが、従来から行われている。
しかし、固化材を噴射して原位置土を切削しつつ混合して造成することは、専用の噴射装置を用いなければ困難な場合が多い。
【０００３】
これに対して、例えば、Ｈ鋼にノズルを配置し、当該ノズルから固化材を噴射して地盤を切削して、地中壁を造成する技術が提案されている（特許文献１参照）。
しかし、係る従来技術（特許文献１）では、構造材料であるＨ鋼を吊り下げ、吊り上げる必要があるので、大型の重機を必要とする。
【０００４】
このように、従来の固化材を噴射して地盤を切削して地中壁を造成する技術では、専用の噴射装置や重機を使用しなければならず、簡易に地中壁を造成することが困難であった。
そのため、既存の機器を用いて簡易に地中壁を造成して、建造物の基礎造成、液状化防止、止水等を行う技術が求められているが、その要請に応えることが出来る技術は存在していない。
【先行技術文献】
【特許文献】
【０００５】
【特許文献１】特開２０１０−８４４９４号公報
【発明の概要】
【発明が解決しようとする課題】
【０００６】
本発明は上述した従来技術の問題点に鑑みて提案されたものであり、既存の機器を用いて簡易に地中壁を造成することが出来る地中壁造成方法の提供を目的としている。
【課題を解決するための手段】
【０００７】
本発明の地中壁造成方法は、（オーガー１０の）翼（１：スクリュー）の直径方向両端部近傍に設けられ且つ同一方向を向いている少なくとも２本のノズル（２Ａ、２Ｂ）を備えたオーガー（１０）を地盤に侵入させる工程と、
当該オーガー（１０）を時計方向と反時計方向に（所定の角度で）揺動しつつ、翼（１）の直径方向両端部近傍に設けたノズル（２Ａ、２Ｂ）から固化材（Ｃ）を（固化材噴流として）噴射して、地盤を切削しつつ原位置土と固化材（Ｃ）を混合しつつ、オーガー（１０）を引き上げる工程、
を有することを特徴としている。
【０００８】
本発明において、前記ノズル（２Ａ、２Ｂ）は湾曲したパイプ（３Ａ、３Ｂ）によりオーガー（１０）の中心軸（４）と連通しており、且つ、オーガー（１０）の中心軸（４）内部に設けられた固化材供給流路（図示せず）と連通しているのが好ましい。
【０００９】
また本発明において、同一方向を向いている少なくとも２本のノズル（２Ａ、２Ｂ）から噴射された固化材（Ｃ）噴流は、交差しないことが好ましい。
【発明の効果】
【００１０】
上述の構成を具備する本発明によれば、オーガー（１０）の翼（１）の直径方向両端部近傍の少なくとも２本のノズル（２Ａ、２Ｂ）から固化材（Ｃ）噴流（固化材ジェット）を噴射し、且つ、当該オーガー（１０）を時計方向と反時計方向に（所定の角度で）揺動することにより、前記ノズル（２Ａ、２Ｂ）から噴出された固化材（Ｃ）噴流は、造成するべき地中壁（Ｗ）の幅方向両端（図Ａの「ＥＬ」〜「ＥＲ」）間を揺動し、造成するべき地中壁（Ｗ）の幅方向両端（「ＥＬ」〜「ＥＲ」）間の地盤を切削する。
それと共に、切削した地盤と噴射された固化材（Ｃ）が混合される。
そして、オーガー（１０）を引き上げることにより、地中において、造成するべき地中壁（Ｗ）に対応する領域の地盤が切削されて、切削された原位置土と噴射された固化材（Ｃ）が混合されるので、切削された原位置土と噴射された固化材（Ｃ）の混合物が固化すれば、造成するべき地中壁（Ｗ）が造成される。
【００１１】
ここで、前記少なくとも２本のノズル（２Ａ、２Ｂ）から噴出される固化材（Ｃ）噴流は、オーガー（１０）近傍の領域（図１の領域Ｒ）を通過せず、当該領域（Ｒ）を切削しないが、当該領域（Ｒ）に存在する原位置土は、オーガー（１０）の揺動と固化材（Ｃ）噴流の揺動によりその重力により崩落して、固化材（Ｃ）噴流により切削されて、固化材（Ｃ）と混合される。
そのため、オーガー（１０）から固化材（Ｃ）噴流が噴射される方向の地盤は全て固化材（Ｃ）噴流により切削され、混合して、壁状に固化する。
当該壁状に固化した領域を（公知の方法により）接続することにより、地中に連続して延在する壁状固結体、すなわち地中壁（Ｗ）が造成される。
【００１２】
本発明の地中壁造成方法は、既存のオーガー（１０）にノズル（２Ａ、２Ｂ）を取り付けるだけで容易に実施することが出来るので、地中壁（Ｗ）を造成するにあたって、特別な噴射装置や重機を必要としない。
そして、既存の機器を用いて簡易に地中壁（Ｗ）を造成することが出来る。
【００１３】
また本発明において、同一方向を向いている少なくとも２本のノズル（２Ａ、２Ｂ）から噴射された固化材（Ｃ）噴流は交差しないので、固化材（Ｃ）噴流のエネルギーが交差した箇所で消耗して、それ以上、オーガー（１０）から離隔した領域が切削できなくなってしまうことが防止される。
また、同一方向を向いている少なくとも２本のノズル（２Ａ、２Ｂ）から噴射された固化材（Ｃ）噴流は交差しないので、当該噴流により切削された領域の端部（図１のＥＩの部分）には凹凸が存在する。そのため、後続する工程で造成された領域と接続する処理が容易である。
【図面の簡単な説明】
【００１４】
【図１】本発明の実施形態の要部を示す平面図である。
【図２】実施形態において交差噴流を用いない理由を示す説明図である。
【図３】本発明の要部を示す正面図である。
【図４】オーガーの平坦なプレートにノズルを配置する場合を示す正面図である。
【図５】オーガーにおけるパイプ及びノズルの取り付け位置を説明する正面断面図である。
【図６】実施形態の第１変形例を示す平面図である。
【図７】実施形態の第２変形例を示す平面図である。
【発明を実施するための形態】
【００１５】
以下、添付図面を参照して、本発明の実施形態について説明する。
最初に図１を参照して、図示の実施形態における作動原理を説明する。
図１において、オーガー１０の中心軸方向（図１の紙面に垂直方向）に延在する螺旋状の翼１（の所定領域）において、図１で示す翼水平断面形状（円形）の直径方向両端部近傍に、ノズル２Ａ、２Ｂが設けられている。
そして、ノズル２Ａ、２Ｂにおける噴射方向が、それぞれ矢印Ｄ１、Ｄ２で示されている（図１では矢印Ｄ１、Ｄ２は下方に向いている）
【００１６】
矢印Ｄ１で示すノズル２Ａの噴射方向は、ノズル２Ａからの固化材の噴射方向を意味しており、図１における直線ＥＬ（ノズル２Ａから延伸する直線）の方向である。
一方、矢印Ｄ２で示すノズル２Ｂの噴射方向は、ノズル２Ｂからの固化材の噴射方向を意味しており、図１における直線ＥＲ（ノズル２Ｂから延伸する直線）の方向である。同
ノズル２Ａ、ノズル２Ｂからの固化材噴射方向を示す矢印Ｄ１、Ｄ２は、オーガー１０の反時計方向の揺動角が最大となった時（オーガー１０が時計方向に揺動を開始する直前）における固化材噴射方向を示している。
【００１７】
オーガー１０の中心軸４の内部には、高圧の固化材Ｃが流過する固化材供給流路（図示せず）が形成されており、当該図示しない固化材供給流路は、湾曲した２つのパイプ３Ａ、３Ｂを介して、それぞれノズル２Ａ、２Ｂに連通している。
そして固化材Ｃは、地上側に設置された固化材供給源（図示せず）からオーガー１０の中心軸４の内部の固化材供給通路（図示せず）を流過して、螺旋状翼１に取り付けられた２つのパイプ３Ａ、３Ｂを介して、２つのノズル２Ａ、２Ｂまで供給される。
【００１８】
オーガー１０は、時計方向と反時計方向に所定の角度で揺動（矢印Ｓ方向に往復動）する様に構成されている。
オーガー１０を揺動するために、オーガー１０の中心軸４を時計方向及び反時計方向に所定の中心角度ずつ連続して往復動せしめるための機構（公知、既存の機構：図示は省略）が設けられている。そして当該図示しない機構（オーガー１０を時計方向と反時計方向に所定の角度で揺動する機構）は、オーガー１０を揺動すると共に、地上側に引き上げ、或いは、地中に向かって押し下げる引き下げる機能を有している。
【００１９】
オーガー１０を揺動しつつ引き上げるか、押し下げるかについては、施工現場の状況、工事の仕様その他の条件により決定される。以下の説明においては、オーガー１０を引き上げる場合について説明する。
ここで、ノズル２Ａ、２Ｂは、オーガーを引き上げ（或いは押し下げ）る際に、固化材Ｃの噴流を噴射する。オーガーを引き上げる際にノズル２Ａ、２Ｂから固化材Ｃを噴射する様に噴射タイミングを調整する機構についても、公知・既存の技術を用いれば良い。
【００２０】
地中壁Ｗの造成に際し、オーガー１０を、地上側から地盤中に、造成すべき地中壁Ｗの深さに応じた所定深度位置まで侵入させる。オーガー１０の翼１の水平方向断面形状における直径方向両端部の近傍には、ノズル２Ａ、２Ｂが取り付けられている。
オーガー１０が所定深度まで侵入したならば、オーガー１０を時計方向と反時計方向に所定の角度で揺動（矢印Ｓ方向に連続して往復動）させる。その際に、翼１の直径方向両端部近傍に取り付けられたノズル２Ａ、２Ｂから、地中壁Ｗを造成するべき土中の領域に向けて固化材Ｃを噴射する。
そして徐々に地上側に引き上げる（或いは、押し下げる）。
固化材Ｃの噴流により、地中壁Ｗを造成するべき領域が切削され、当該領域における土壌と固化材Ｃが混合されるので、噴射された固化材Ｃと土壌との混合物が固化すれば、地中壁Ｗ（の一部）が造成される。
【００２１】
ノズル２Ａ、２Ｂから、固化材Ｃの噴流を噴射しつつ、時計方向と反時計方向に所定の角度で揺動させながら地上側にオーガー１０を引き上げることにより、ノズル２Ａから噴射される固化材Ｃの噴流は、図１の直線ＥＬＲと直線ＥＬの間の領域を揺動し、当該領域における地盤を切削し、土壌と固化材Ｃを混合する。
一方、ノズル２Ｂから噴射される固化材Ｃの噴流は、直線ＥＲと直線ＥＲＬの間の領域を揺動し、当該領域における地盤を切削し、土壌と固化材Ｃを混合する。
【００２２】
直線ＥＬは、造成すべき地中壁Ｗの幅方向の図１における左端に対応しており、図示の実施形態では、オーガー１０の時計回りの揺動角が最大となった時（反時計方向に回動する直前：時計方向に最も揺動した位置にある時）のノズル２Ａからの固化材噴射方向である。
一方直線ＥＲは、図示の実施形態では、造成すべき地中壁Ｗの幅方向の図１における右端に対応しており、オーガー１０の反時計回りの揺動角が最大となった時（時計方向に回動する直前：反時計方向に最も揺動した位置にある時）のノズル２Ｂからの固化材噴射方向である。
【００２３】
図１における直線ＥＬＲは、図示の実施形態では、オーガー１０の反時計回りの揺動角が最大となった時の（時計方向に回動する直前における）ノズル２Ａからの固化材噴射方向である。
そして直線ＥＲＬは、図示の実施形態では、オーガー１０の時計回りの揺動角が最大となった時の（反時計方向に回動する直前における）ノズル２Ｂからの固化材噴射方向である。
なお、図１における直線ＥＬ、直線ＥＲ、直線ＥＬＲ及び直線ＥＲＬは、説明のために簡略化して示されている。
そのため、実機において、オーガー１０の時計回りの揺動角が最大となった時の（反時計方向に回動する直前における）ノズル２Ａからの固化材噴射方向（直線ＥＬに対応）や、オーガー１０の時計回りの揺動角が最大となった時の（反時計方向に回動する直前における）ノズル２Ｂからの固化材噴射方向（直線ＥＲＬに対応）とは、異なっている。
【００２４】
また、図１における直線ＥＩは、ノズル２Ａからの固化材Ｃの噴流の到達地点とノズル２Ｂからの固化材Ｃの噴流の到達地点の軌跡を示す直線である。なお、直線ＥＩも説明のために簡略化して示されており、ノズル２Ａからの固化材Ｃの噴流の到達地点の軌跡と、ノズル２Ｂからの固化材Ｃの噴流の到達地点の軌跡は同一とはならず、直線ＥＩとも一致しない。
図１において、直線ＥＬ、直線ＥＬＲ、直線ＥＩで囲まれた領域が、ノズル２Ａからの固化材Ｃの噴流により切削され、土壌と固化材Ｃが混合される領域である。
そして直線ＥＲ、直線ＥＲＬ、直線ＥＩで囲まれた領域が、ノズル２Ｂからの固化材Ｃの噴流により切削され、土壌と固化材Ｃが混合される領域である。
【００２５】
図１において、直線ＥＬ、直線ＥＬＲ、直線ＥＩで囲まれた領域以外の領域であり、且つ、直線ＥＲ、直線ＥＲＬ、直線ＥＩで囲まれた領域以外の領域（オーガー１０近傍の領域Ｒ）については、ノズル２Ａから噴射される固化材Ｃの噴流もノズル２Ｂから噴射される固化材Ｃの噴流も通過しない。そのため、領域Ｒの土壌はノズル２Ａ、２Ｂから噴射される固化材では切削されない。
しかし、領域Ｒの土壌は、オーガー１０の揺動と、固化材Ｃの噴流による切削の後と、その重力により崩落し、崩落した土壌は固化材Ｃの噴流により切削されて、固化材Ｃと混合される。
【００２６】
或いは、領域Ｒの土壌については、公知、既存の技術により、切削することが出来る。
そのため、オーガー１０から固化材Ｃの噴流が噴射される方向の地盤、すなわち直線ＥＬ、直線ＥＲ、直線ＥＩで囲まれた領域内方の土壌は、全域に亘って固化材Ｃの噴流により切削され、固化材Ｃと混合される。
直線ＥＬ、直線ＥＲ、直線ＥＩで囲まれた壁状の固化した領域は、公知の技術により、隣接する固化した領域と接続することが出来る。これにより、地中において、連続して延在する壁状固結体である地中壁Ｗが造成される。
【００２７】
図１において、オーガー１０の翼１の直径方向両端部の近傍にノズル２Ａ、２Ｂが取り付けられているが、ノズル２Ａ、２Ｂの取付位置を、図１で示す位置意外にすることが可能である。ノズル２Ａ、２Ｂの翼１における半径方向位置が変更されると、直線ＥＬ、ＥＲ間の寸法（幅寸法）が変動する。例えば、ノズル２Ａ、２Ｂを半径方向内側に移動すると、直線ＥＬ・直線ＥＲ間の幅が小さくなる。
すなわち、ノズル２Ａ、２Ｂの翼１における半径方向位置を変更することにより、固化材Ｃの噴流の噴射領域の幅（直線ＥＬ、ＥＲ間の幅寸法）を調整して、地中壁Ｗの幅（図１の左右方向寸法）を調整することが出来る。
【００２８】
さらに、図１では、固化材Ｃは図１の下方にのみ噴射されているが、例えば、反対側の方向（図１の上方）に向けて、新たにノズル（図示せず）及び固化材供給用のパイプ（図示せず）を追加して、図１で示す固化材Ｃの噴流に加えて、反対側の方向（図１で上側の方向）にも固化材Ｃを噴射することが出来る。
例えば、図１の上方と下方に向って固化材Ｃを噴射すれば、図１の上下方向に延在する地中壁Ｗの造成に当って、１本のオーガー１０により土壌の切削、固化材と土壌との混合が行われる領域が増加し、その分だけ、工期の短縮、労力の軽減が可能になる。
【００２９】
図１では明示されていないが、図示の実施形態において、ノズル２Ａ、２Ｂから噴出した固化材Ｃの噴流は衝突することはない。換言すれば、ノズル２Ａ、２Ｂから噴出した固化材Ｃの噴流は、所謂「交差噴流（クロスジェット）」とはならない。
図１において、オーガー１０が時計方向に最も揺動している時（反時計方向に回動する直前）、ノズル２Ａからの固化材Ｃの噴流（直線ＥＬ方向）とノズル２Ｂからの固化材Ｃの噴流（直線ＥＲＬ）は、衝突していない。
【００３０】
図１において、ノズル２Ａ、２Ｂから噴出した固化材Ｃの噴流は、共に、直線ＥＬを含み紙面に垂直な方向に延在する平面と、直線ＥＩを含み紙面に垂直な方向に延在する平面との交点付近まで到達しており、その後、オーガー１０が揺動（回動）すると共に、ノズル２Ａからの固化材Ｃの噴流とノズル２Ｂからの固化材Ｃの噴流はその噴射角度を変更しつつ移動する。
そして反時計方向に最大に揺動した時（時計方向に回動する直前）に、ノズル２Ａからの固化材Ｃの噴流とノズル２Ｂからの固化材Ｃの噴流は、共に、直線ＥＲを含み紙面に垂直な方向に延在する平面と、直線ＥＩを含み紙面に垂直な方向に延在する平面との交点付近まで到達する。
係る揺動の際に、ノズル２Ａからの固化材Ｃの噴流とノズル２Ｂからの固化材Ｃの噴流は衝突せず、所謂「交差噴流」とはならない。
【００３１】
図３に基づき後述するように、ノズル２Ａとノズル２Ｂとでは、その取り付けの高さ位置（垂直方向位置）が異なる。
そのため、平面図である図１において、ノズル２Ａからの固化材Ｃの噴流とノズル２Ｂからの固化材Ｃの噴流が交差しているようにも見えるが、図３を参照して後述する様に、ノズル２Ａからの固化材Ｃの噴流とノズル２Ｂからの固化材Ｃの噴流は、垂直方向位置が異なっており、両者が交差することはない。
【００３２】
ノズル２Ａからの固化材Ｃの噴流とノズル２Ｂからの固化材Ｃの噴流が衝突しない理由について、図２に基づいて、さらに説明する。
図２において、ノズル２Ａからの固化材Ｃの噴流とノズル２Ｂからの固化材Ｃの噴流が交差噴流であると、交差（衝突）した箇所（ノズル２Ａ、２Ｂから噴射された固化材の噴流により切削された領域の端部：図２における直線ＥＩ）で噴流のエネルギーが消耗し、直線ＥＩよりもオーガー１０から離隔した領域が切削されなくなってしまう。そのため、ノズル２Ａからの固化材Ｃの噴流とノズル２Ｂからの固化材Ｃの噴流は交差噴流を構成していない。
【００３３】
また、２本のノズル２Ａ、２Ｂから噴射された固化材Ｃの噴流が交差噴流を構成する場合には、切削領域におけるオーガー１０から離隔した側の端部（図２では右端）は、凹凸のない滑らかな面となってしまう。そのため、後工程で図２の直線ＥＩに隣接した箇所にオーガー（１１：後続の工程におけるオーガー）を挿入する際に、挿入し難くなる。
それに対して図示の実施形態の様に、ノズル２Ａ、２Ｂから噴射された固化材Ｃの噴流が衝突（交差）しなければ、切削領域におけるオーガー１０から離隔した側の端部は凹凸が形成される（図２における直線ＥＩ近傍の実線参照）ため、後続の工程でのオーガー１１が挿入し易い。
【００３４】
図３では、ノズル２Ａ、２Ｂを取り付けたオーガー１０を正面から見た状態が示されている。
図３において、上下方向に延在するオーガー１０の翼１（スクリュー）は螺旋状に構成されている。そして、図１においてオーガー１０の翼１の直径方向両端部近傍に取り付けられているノズル２Ａ、２Ｂは、図３で示すように、上下方向に離隔した位置に配置されており、紙面に垂直な方向に固化材Ｃを噴射する様に取り付けられている。
ここで、翼１において、ノズル２Ａが取り付けられている領域（ハッチングを付した領域）は、図３では裏側が表示されている。そのため、翼１の表側に取り付けられているノズル２Ａは、図３では点線で表示されている。
【００３５】
図１ではノズル２Ａ、２Ｂをオーガー１０の翼１の直径方向両端部近傍に取り付けているが、ノズル２Ａ、２Ｂを他の部位（翼１の直径方向両端部近傍とは異なる位置）に取り付けることが可能である。図４はその一例を示している。
図４において、オーガー１０の翼１の上方端部よりも上方には平坦なプレート５が設けられており、当該プレート５の両端部にノズル２Ａ、２Ｂを設けることが出来る。
なお、平坦なプレート５も撹拌機能を有しているが、翼１とは異なる態様で土壌を撹拌する。そして平坦なプレート５の平面形状は、円形であっても四角形であっても良い。
【００３６】
ここで、平坦なプレート５の両端部にノズル２Ａとノズル２Ｂを取り付けた場合には、ノズル２Ａ、２Ｂの垂直方向位置は同一となり、ノズル２Ａ、２Ｂからの固化材Ｃの噴流が交差（衝突）して、交差噴流を構成する可能性がある。そのため、プレート５の両端部のノズル２Ａとノズル２Ｂから噴射される固化材噴流が交差（衝突）しないように、ノズル２Ａ、２Ｂの垂直方向位置を変位せしめるか、或いは、固化材噴流が衝突しない様に噴射角度を調製する必要がある。
図４では、台座７を介してノズル２Ａをプレート５に取り付けることにより、ノズル２Ａとノズル２Ｂとの垂直方向位置が同一にならないようにしている。
【００３７】
次に、図５を参照して、ノズル２Ａ、２Ｂ、パイプ３Ａ、３Ｂの取付位置について説明する。
図５において、翼１の螺旋の直径は、切削方向（地中方向：図５の下方）先端から垂直方向上方（地上側）に向けて徐々に大きくなっている。図５では明示されていないが、所定の垂直方向位置よりも上方の領域では、翼１の螺旋の直径は一定値となっている。
翼１の垂直方向上方（地上側）には、翼１の螺旋状の直径より大径のストッパープレート６が設けられる。オーガー１０の翼１により掻き上げられた原位置土や、原位置土と固化材Ｃとの混合物は、ストッパープレート６があるため、それより上方（地上側）には移動しない。
【００３８】
図５において、翼１の直径方向両端部近傍の上面（地上側）にはノズル２Ａ、２Ｂが取り付けられ、ノズル２Ａ、２Ｂとオーガー１０の中心軸４の内部に設けた固化材供給通路（図示せず）はパイプ３Ａ、３Ｂにより連通している。
図５で示すように、ノズル２Ａ、２Ｂ及びパイプ３Ａ、３Ｂを翼１の上面（地上側）に取り付けた場合には、オーガー１０が土壌中に侵入しても、螺旋の上側に存在するノズル２Ａ、２Ｂ、パイプ３Ａ、３Ｂは土壌と干渉しないので、破損される恐れはない。
【００３９】
一方、図５においては、ノズル２ａ、２ｂ、パイプ３ａ、３ｂを翼１の下側（地中側）に取り付けた場合も示されている。
オーガー１０が土壌中に侵入すると、当該土壌が翼１の下方に位置するノズル２Ａ、２Ｂ、パイプ３Ａ、３Ｂと干渉するが、図示の実施形態は（施工領域は）軟弱地盤を想定しているため、ノズル２ａ、２ｂ、パイプ３ａ、３ｂが土壌と干渉しても、ノズル２ａ、２ｂ、パイプ３ａ、３ｂの機能に支障をきたす程度に損傷する可能性は少ない。
そのため、図５で示すように、ノズル２ａ、２ｂ、パイプ３ａ、３ｂを翼１の下面（地中側）に取り付けることも可能である。
【００４０】
なお、図１〜図５で示す地中壁造成に際して、発明者の計算では、必要な固化材のノズルからの流量は、ノズル１本当たり３５０リットル／分である。
係る流量（３５０リットル／分）は、既存のポンプの性能で充分に賄うことが可能である。
換言すれば、図示の実施形態を実施するに際して、新たにポンプ等を開発する必要はない。
【００４１】
図１〜図５の実施形態によれば、オーガー１０の翼１の直径方向両端部近傍の２本のノズル２Ａ、２Ｂから固化材Ｃの噴流を噴射し、且つ、当該オーガー１０を時計方向と反時計方向に（所定の角度の範囲内で）繰り返し往復動（揺動）を行いつつ、オーガー１０を引き上げることにより、地中において、造成するべき地中壁Ｗに対応する領域の地盤が切削されて、切削された原位置土と噴射された固化材Ｃが混合され、地中壁Ｗを造成することが出来る。
この際に、ノズル２Ａ、２Ｂの取付位置（半径方向位置）を適宜変更することにより固化材Ｃの噴流の噴射領域を調整して、地中壁Ｗの幅を調整することが出来る。
【００４２】
図１〜図５の実施形態において、ノズル２Ａ、２Ｂから噴出される固化材Ｃの噴流が通過（切削）しない領域Ｒ（オーガー１０近傍の領域：図１参照）においても、オーガー１０の揺動と固化材Ｃの噴流の揺動の結果、領域Ｒの土壌自体の重力により崩落して、固化材Ｃの噴流により切削されて、固化材Ｃと混合される。或いは、公知、既存の技術により、領域Ｒの土壌を容易に切削し、固化材Ｃと混合することが可能である。
そのため、オーガー１０から固化材Ｃの噴流が噴射される方向の地盤は全て固化材Ｃの噴流により切削され、固化材Ｃと混合して、壁状に固化する。
そして、隣接する壁状に固化した領域同士を公知の方法により接続し、以って、地中に連続して延在する壁状固結体、すなわち地中壁Ｗを造成することが出来る。
【００４３】
また図示の実施形態によれば、既存のオーガー１０にノズル２Ａ、２Ｂを取り付けるだけで容易に実施することが出来るので、地中壁Ｗを造成するにあたって、特別な噴射装置や重機を必要としない。
すなわち図示の実施形態では、既存の機器を用いて、容易且つ確実に地中壁Ｗを造成することが出来る。
【００４４】
さらに図示の実施形態によれば、同一方向を向いている少なくとも２本のノズル２Ａ、２Ｂから噴射された固化材Ｃの噴流は交差しないので、固化材Ｃの噴流のエネルギーが交差した箇所で消耗することはなく、オーガー１０から十分に離隔した領域まで土壌を切削することが出来る。
或いは、ノズル２Ａ、２Ｂから噴射された固化材Ｃの噴流は交差しないため、当該噴流により切削される領域の端部（図１のＥＩの部分）には凹凸が存在し、後続する工程でオーガー１０が挿入し易くなる。
【００４５】
これに加えて、図示は省略されているが、ノズル２Ａから噴射される噴流（直線ＥＬに対応）と、ノズル２Ｂから噴射される噴流（直線ＥＲに対応）により、直線ＥＬと直線ＥＲに対応する切削領域（地中壁Ｗを造成する領域との境界）は凹凸が少なくなる。
そのため、後続の工程で切削箇所に隣接する部分にオーガー１０を地中に侵入する作業が、前記境界（直線ＥＬと直線ＥＲに対応する切削領域）に凹凸が多い場合に比較して容易となり、作業効率が向上する。
【００４６】
図１において、オーガー１０の下方に固化材Ｃを噴射しているが、その噴射の反力により、オーガー１０が移動してしまうことはない。オーガー１０の螺旋状の翼１が土壌に食い込んで侵入しているため、噴流による反力Ｆが作用しても、オーガー１０が土壌に食い込んでいる箇所から移動しないのである。
なお、図１では示されていないが、図１の下方に固化材噴流を噴射するノズル２Ａ、２Ｂに加えて、図１の上方に固化材噴流を噴射するノズルを設けることが出来る。
その様に構成すれば、図１の下方のみならず、図１の上方の土壌をも固化材噴流で切削し、固化材と混合して、直線ＥＬと直線ＥＲの間に造成される地中壁を、図１のオーガー１０よりも上方の領域に造成することが可能である。
【００４７】
次に図６を参照して、図１〜図５で示す実施形態の第１変形例について説明する。
図１〜図５においては、オーガー１０の翼１に取り付けたノズル２Ａ、２Ｂから固化材Ｃの噴流を噴射して、図１で示したオーガー１０から下側の領域に地中壁Ｗを造成している。そして図示はされていないが、図１におけるオーガー１０の上方の領域にも同時に地中壁Ｗを造成可能である。
これに対して、図６の変形例では、オーガー１０の下方の領域と右方の領域において、同時に地中壁Ｗを造成している。
【００４８】
図６において、オーガー１０に設けた螺旋状の翼（１：スクリュー）の（所定の垂直方向部分の）直径方向両端部の近傍に、２つのノズル２Ａ、２Ｂがそれぞれ同じ方向（図６では下方：図１の矢印Ｄ１、Ｄ２方向）を向いて取り付けられている。
さらに、ノズル２Ａ、２Ｂが取り付けられている翼１の面には、ノズル２Ａ、２Ｂを結ぶ直線（直径：図５の左右方向に延在する直径）と垂直に延在する直線（直径：図５の上下方向に延在する直径）の両端には、ノズル２C、２Dが取り付けられる。ノズル２C、２Dの噴射方向は図５の右方となる様に設定されている。
ノズル２A、２Ｂ、２Ｃ、２Ｄとオーガー１０の中心軸４の内部に設けた固化材供給通路（図示せず）とは、それぞれパイプ３Ａ、３Ｂ、３Ｃ、３Ｄにより連通している。
【００４９】
図６の第１変形例においては、図１と同様に、ノズル２Ａ、２Ｂから、オーガー１０の下側の領域に向かって固化材Ｃの噴流を噴射し、ノズル２C、２Dからは、オーガー１０の右側の領域に向かって固化材Ｃの噴流を噴射する。
そして、オーガー１０を時計方向と反時計方向に所定の角度で揺動（矢印Ｓ方向）させながら地上側に引き上げて、当該領域の地盤を切削し原位置土と固化材Ｃを混合する。
その結果、図６のオーガー１０下方の領域（直線ＥＬとＥＲの間の領域）と、オーガー１０右方の領域（直線ＦＬとＦＲの間の領域）に、地中壁Ｗが造成される。
【００５０】
図６の第１変形例では、オーガー１０の中心軸４に対して切削方向（地中壁Ｗを造成する領域）が相互に直交しているが、図１〜図５の実施形態と同様に、固化材Ｃの噴流を噴射する際に、オーガー１０が前記噴流の反力（図６の矢印Ｆ）により移動することはない。オーガー１０の螺旋状の翼１が土壌に食い込んで侵入しているため、噴流による反力Ｆが作用しても、オーガー１０が土壌に食い込んでいる箇所から移動しないのである。
図６の第１変形例におけるその他の構成及び作用効果については、図１〜図５の実施形態と同様である。
【００５１】
次に、図７を参照して、図１〜図５の実施形態における第２変形例を説明する。
図７は、例えば耐震補強のために造成される格子状の地中壁が示されている。
図７の地中壁Ｗを造成する領域が、全体を符号ＡＲで示されている。領域ＡＲは、領域ＡＲ１、ＡＲ２，ＡＲ３、ＡＲ４、ＡＲ５、ＡＲ６・・・・より構成されている。
さらに領域ＡＲ１は領域Ｒ１１、Ｒ１２、Ｒ１３より構成され、領域ＡＲ２は領域Ｒ２１、Ｒ２２より構成されている。領域ＡＲ３、ＡＲ４、その他の領域についても同様である。
【００５２】
領域ＡＲ１を造成するに際しては、領域Ｒ１１、Ｒ１２、Ｒ１３に挟まれた領域の土壌にオーガー１０を侵入させる。図１、図６で説明したのと同様に、オーガー１０の翼１の直径方向両端部の近傍には、３対のノズル２Ａ、２Ｂ、ノズル２Ｃ、２Ｄ、ノズル２Ｅ、２Ｆが取り付けられている。
図１、図６で説明したのと同様に、ノズル２Ａ〜２Ｆとオーガー１０の中心軸（図示せず）の内部に設けた固化材供給通路（図示せず）とは、それぞれパイプ（図示せず）により連通している。
【００５３】
ここで、ノズル２Ａ〜２Ｆの噴射方向は、造成するべき領域Ｒ１１、Ｒ１２、Ｒ１３の方向である。
そして、ノズル２Ａ〜２Ｆから、それぞれ造成すべき領域Ｒ１１、Ｒ１２、Ｒ１３に向かって固化材Ｃの噴流を噴射しつつ、オーガー１０を時計方向と反時計方向に所定の角度で揺動させながら地上側に引き上げて、当該領域の地盤を切削し、原位置土と固化材Ｃを混合して、地中壁Ｗを造成する。
【００５４】
上述したのは、オーガー１０の中心軸（図示せず）に対して切削方向（地中壁Ｗを造成する領域）が相互に９０°変位した３方向について、地中壁Ｗを造成している。
また、図示はされていないが、オーガー１０の中心軸に対して９０°変位した４方向に地中壁を造成する場合であっても、４方向に向けて４対のノズルを取り付けて、当該４つの領域において固化材Ｃの噴流を噴射することにより、造成することが出来る。
【００５５】
領域ＡＲ１に続いて、領域Ｒ２１、Ｒ２２を有する領域ＡＲ２を造成する際には、図６で説明した様に、オーガー１０（点線で示す）の翼１（点線で示す）に２対のノズル（図示せず）を取り付ける。
そして、当該２対のノズルの各々から領域Ｒ２１、Ｒ２２に向って固化材Ｃの噴流を噴射しつつ、オーガーを時計方向と反時計方向に所定の角度で揺動させながら地上側に引き上げれば、領域Ｒ２１、Ｒ２２に地中壁Ｗを造成することが出来る。
【００５６】
領域ＡＲ３、ＡＲ４、その他の領域についても上述と同様の手順により、一度に二方向或は三方向の領域について地中壁Ｗを造成することができる。そして、図７で示す格子状に連続して延在する地中壁を効率的に造成することが出来る。
図７の第２変形例におけるその他の構成及び作用効果については、図１〜図６の実施形態と同様である。
【００５７】
図示の実施形態はあくまでも例示であり、本発明の技術的範囲を限定する趣旨の記述ではないことを付記する。
【符号の説明】
【００５８】
１・・・翼（スクリュー）
２Ａ、２Ｂ、２ａ、２ｂ、２Ｃ、２Ｄ、２Ｅ、２Ｆ・・・ノズル
３Ａ、３Ｂ、３Ｃ、３Ｄ・・・パイプ
４・・・オーガーの中心軸
５・・・平坦なプレート
６・・・ストッパープレート
７・・・台座
１０、１１・・・オーガー
Ｗ・・・地中壁
【図１】
2016125197.tif 000003
【図２】
2016125197.tif 000004
【図３】
2016125197.tif 000005
【図４】
2016125197.tif 000006
【図５】
2016125197.tif 000007
【図６】
2016125197.tif 000008
【図７】
2016125197.tif 000009